(57)【要約】      （修正有）【課題】ブレードをテレスコピックカバーのカバーに簡単、容易に着脱するとともに、テレスコピックカバーのあらゆる摺動状態に対応して、ブレードをスリット内に安全、確実に保持する。【解決手段】テレスコピックカバーのカバー２裏面にホールダー１１の後方部分１１ｆを固定して、ホールダー１１の中央部分１１ｃに段差１３を付けて傾斜させて、ホールダー１１とカバーと２の間にスリット１４を形成するとともに、このスリット１４の内部に丸棒状のローラー５を摺動可能に挿填し、このスリット１４にブレード３を差し込んで確実に保持する。【選択図】図７
2013244572.tif 000002
【特許請求の範囲】
【請求項１】
金属薄板で形成したテレスコピックカバーのカバーの裏面に、幅がカバーの内側の幅と同じで、長さがカバーより短いホールダーの後方部分を固定して、
ホールダーの中央部分に０．５〜２ｍｍの段差を付けて、中央部分を３〜３５度に傾斜させて、この中央部分とカバーとの間にスリットを形成し、
このスリットに、幅がカバーの幅と同じで、長さがスリットより若干短い極薄金属板のブレードを着脱自在に保持するについて、
カバーの先端部分を下方に２０〜３０度折り曲げて折曲線を付けて上部ガイド部を形成し、
ホールダーの前方部分を下方に２３〜３５度折り曲げてストッパー線を付けて、その前方部分を下部ガイド部とし、
ホールダーのストッパー線をカバーの折曲線に接触させるように構成するとともに、
ホールダーの中央部分とカバーとの間に形成したスリットの内部に丸棒状のローラーを摺動可能に挿填し、
さらに、ブレードの前方部分を下方に２０〜３５度折り曲げてホールド線を付けることによって、その前方部分をブレード部、その後方部分を差込部とし、
このブレードの差込部を、カバーの上部ガイド部とホールダーの下部ガイド部との間より、ホールダーのストッパー線の弾力に抗して押し開いて、丸棒状のローラーを挿填したスリットに差し込んで、ブレードのホールド線をカバーの折曲線とホールダーのストッパー線に合致させてブレードを押圧するとともに、ブレードを丸棒状のローラーによってロックして保持することを特徴とするテレスコピックカバーの着脱自在な差込型ブレード。
【請求項２】
テレスコピックカバーのカバーをハイテンション鋼製または１７％Ｃｒ−２％Ｎｉを主成分として軟質なフェライト相と硬質なマルテンサイト相と微細混合組織を有する高強度複層組織ステンレス鋼で形成し、極薄金属板のブレードと丸棒状のローラーとをバネ用ステンレス鋼または焼き入れリボン鋼製の金属薄板で形成した請求項１記載のテレスコピックカバーの着脱自在な差込型ブレード。
【発明の詳細な説明】
【技術分野】
【０００１】
本発明は、工作機械を覆うとともに、工作機械の主軸頭、ベッド、テーブル、コラム、ピストン、シリンダー、ＡＴＣカバー等の移動機構に従って摺動するテレスコピックカバーに着脱自在に取り付ける薄金属板の差込型ブレードに関するものである。
【背景技術】
【０００２】
切削機械で金属の切削を行う場合、金属を切削することによって発生する切削物やスパッター（以下切削物という）が、主軸頭等の移動機構を有する工作機械の移動機構に侵入すると、工作機械の移動機構のスムースな摺動に支障が発生し、移動機構に摩耗が生じて、工作機械の性能の悪化や故障を起こすおそれがあった。
【０００３】
特に、超高速切削機械で金属の切削を行う場合、切削物を排除や金属の発熱の抑えるために、切削機械の上部より切削個所に切削用水を供給することが多く、大量の切削用水が付近の工作機械の主軸頭等の移動機構に流入すると、工作機械の移動機構に錆や腐食が発生し、摺動性が悪化して工作機械の性能の低下を招いていた。
【０００４】
前述の問題に対処したテレスコピックカバーは種々あるが、一例としては、図１に示すような、ブレード３を着脱可能に設けたテレスコピックカバー１が存在し、このテレスコピックカバー１は、その一端のカバー２ａを工作機械の移動機構４に固定し、工作機械の移動機構４の左右の動きに応じてカバー２ａ〜２ｄを左右に摺動させるようにしたものであり、
このテレスコピックカバー１のカバー２ａ〜２ｄは、その先端部分を下方に折り曲げてストッパー９を形成するとともに、カバー２ａ〜２ｄにホールダー１１を固定して、カバー２ａ〜２ｄの裏面とホールダーの表面の間にスリットを形成して、このスリットにブレード３を着脱可能に挿填したものである。
【０００５】
しかし、前述したテレスコピックカバー１においては、
ブレード３をスリット１４に挿入する際に発生するストッパー９の保持力とホールダー１１の弾性力によってブレード３を挟み込むことによって、ブレード３をカバー２ａ〜２ｄの摺動作業中に抜け落ちたりすることなく、ブレード３をカバー２ａ〜２ｄに安定に保持できると考えられたが、しかし、昨今の超高速で摺動するテレスコピックカバーにおいては、ストッパー９の保持力とホールダー１１の弾性力だけでは、テレスコピックカバー１の摺動作業中のブレード３の抜け落ちを完全に防止できないという問題が発生した。
【０００６】
また、このブレード３を着脱可能に設けたテレスコピックカバー１を改良したものとしては、図２と図３に示すように、
カバー２の先端部分を下方に２０〜３０度折り曲げて折込線６を付けて上部ガイド部１５ｕとし、
ブレード３の前方部を下方に２０〜３５度折り曲げてホールド線１２を付けて、このホールド線１２を境に、その前方部分をブレード部８とするとともに、その後方部分を差込部７とし、
ホールダー１１の前方部分１１ｆを下方に２３〜３５度折り曲げてストッパー線１７を付けて、その前方部分１１ｆを下部ガイド部１５ｂとし、
ホールダー１１の中央部分１１ｃと後方部分１１ｂの間に段差１３を付けて、その中央部分１１ｃを３〜３０度に傾斜させた形状にし、
カバー２の中央部分１０の裏面に、ホールダー１１の後方部分１１ｂの表面を固定して、カバー２の中央部分１０の裏面とホールダー１１の中央部分１１ｃの表面との間にスリット１４を形成するとともに、
カバー２の折込線６とホールダー１１ストッパー線１７とを合致するように構成し、さらに、ホールダー１１の前方部分１１ｆの先端である下部ガイド１５ｂは、カバー２の上部ガイド１５ｕの先端より突出させた構造のテレスコピックカバーが存在する。
【０００７】
そして、ブレード３の差込部７を、カバー２の上部ガイド部１５ｕとホールダー１１の下部ガイド部１５ｄとの間より、ホールダー１１のストッパー線１７の弾力に抗して押し開いて、カバー２とホールダー１１の間のスリット１４に差し込んで、ブレード３のホールド線２１をカバー２の折曲線６とホールダー１１のストッパー線１７に合致させて押圧する保持力によって、ブレード３をスリット１４内に着脱可能に保持したものである。
【０００８】
通常の場合、前述したテレスコピックカバー１においては、ブレード３を０．３ｋｇの力で引っ張っても、前述したブレード３の差込部７がスリット１４より抜け落ちることがないが、しかし、ブレード３を０．３〜１ｋｇの力で引っ張ると、ブレード３のホールド線１２がカバー２の折曲線６とホールダー１１のストッパー線１７の保持力より逸脱して、ブレード３がスリット１４より抜け落ちるという不都合が発生することがある。
【特許文献１】特開２００８−２７９５２３公報
【特許文献２】特開２００９−２９１８６６公報
【発明の開示】
【発明が解決しようとする課題】
【０００９】
本発明は、ブレードをテレスコピックカバーのカバーとホールダーで形成した丸棒状のローラーを挿填したスリットに差し抜きするだけという単純な作業で、ブレードをカバーに簡単、容易に着脱するとともに、テレスコピックカバーのあらゆる摺動状態に対応して、ブレードをスリット内に安全、確実に保持して、ブレードとしての機能を十分発揮させることに目的がある。
【課題を解決するための手段】
【００１０】
本発明は、テレスコピックカバーの着脱自在な差込型ブレードに関するものであって、
金属薄板で形成したテレスコピックカバーのカバーの裏面に、幅がカバーの内側の幅と同じで、長さがカバーより短いホールダーの後方部分を固定して、
ホールダーの中央部分に０．５〜２ｍｍの段差を付けて、中央部分を３〜３５度に傾斜させて、この中央部分とカバーとの間にスリットを形成し、
このスリットに、幅がカバーの幅と同じで、長さがスリットより若干短い極薄金属板のブレードを着脱自在に保持するについて、
カバーの先端部分を下方に２０〜３０度折り曲げて折曲線を付けて上部ガイド部を形成し、
ホールダーの前方部分を下方に２３〜３５度折り曲げてストッパー線を付けて、その前方部分を下部ガイド部とし、
ホールダーのストッパー線をカバーの折曲線に接触させるように構成するとともに、
ホールダーの中央部分とカバーとの間に形成したスリットの内部に丸棒状のローラーを摺動可能に挿填し、
さらに、ブレードの前方部分を下方に２０〜３５度折り曲げてホールド線を付けることによって、その前方部分をブレード部、その後方部分を差込部とし、
このブレードの差込部を、カバーの上部ガイド部とホールダーの下部ガイド部との間より、ホールダーのストッパー線の弾力に抗して押し開いて、丸棒状のローラーを挿填したスリットに差し込んで、ブレードのホールド線をカバーの折曲線とホールダーのストッパー線に合致させてブレードを押圧するとともに、ブレードを丸棒状のローラーによってロックして保持することに特徴がある。
【発明の効果】
【００１１】
本発明によると、ブレードをテレスコピックカバーのカバーとホールダーで形成した丸棒状のローラーを挿填したスリットに差し込むという単純な作業で、ブレードをカバーに簡単、容易に着脱するとともに、
ブレードのホールド線をカバーの弾力のある折曲線とホールダーの弾力のあるストッパー線に合致、押圧して発生する保持力によって、ブレードをスリット内に保持するとともに、ブレードを丸棒状のローラーによってロック（ローラーロック）して保持するという相乗作用によって、ブレードをスリット内に安全、確実に保持し、従来のように０．３〜１ｋｇの力で引っ張っても、ブレードの差込部は抜け落ちることはなく、ブレードとしての機能を十分発揮できる利点があり、従来の４倍の２〜５ｋｇの力で引っ張ると、ブレードの差込部をカバーより引き抜くことができる。
【発明を実施するための最良の形態】
【００１２】
本発明の差込型ブレードを設けたテレスコピックカバーの一例を工作機械に取り付けた場合について説明すると、テレスコピックカバーの基本的構成は、従来のテレスコピックカバーと同じであって、複数枚のカバーを摺動可能に積層してテレスコピックカバーを構成し、本発明のテレスコピックカバー１は、図５に示すように、のカバー２、ブレード３、ホールダー１１、丸棒状のローラー１８より構成する。
【００１３】
カバー２は、その先端部分の４〜１５ｍｍを下方に２０〜３０度折り曲げて折込線６を付けて上部ガイド部１５ｕとし、
ブレード３は、幅がカバー２の幅と同じで、長さがカバー２とホールダー１１より短くし、かつ、ブレード３の前方部を下方に２０〜３５度折り曲げてホールド線１２を付け、このホールド線１２を境に、その前方部分の７．５〜４５ｍｍをブレード部８とするとともに、その後方部分の９〜３０ｍｍを差込部７とする。
【００１４】
ホールダー１１は、その前方部分１１ｆの４．５〜１０ｍｍを下方に２３〜３５度折り曲げてストッパー線１７を付けて、その前方部分１１ｆを下部ガイド部１５ｂとし、その中央部分１１ｃと後方部分１１ｂの間に０．５〜２ｍｍの段差１３を付けて、その中央部分１１ｃの１２〜１３ｍｍを３〜３０度に傾斜させた形状とする。
【００１５】
図６に示すように、カバー２の中央部分１０の裏面に、ホールダー１１の後方部分１１ｂの表面を固定して、カバー２の中央部分１０の裏面とホールダー１１の中央部分１１ｃの表面との間にスリット１４を形成するとともに、カバー２の折込線６とホールダー１１ストッパー線１７とを接触、合致するように構成し、さらに、ホールダー１１の前方部分１１ｆの先端である下部ガイド１５ｂは、カバー２の上部ガイド１５ｕの先端より２〜５ｍｍ突出させる構成にする。
【００１６】
ホールダー１１の前方部分１１ｆの先端である下部ガイド１５ｂを、カバー２の上部ガイド１５ｕの先端より２〜５ｍｍ突出させるのは、ブレード３の差込部７をスリット１４に差し込む際のガイドとするためであって、この下部ガイド１５ｂにより、ブレード３の差込部７の先端をスリット１４に差し込むことは容易になり、この下部ガイド１５ｂの先端を突出させないと、カバー２の上部ガイド１５ｕの裏面に隠れてしまうために、ブレード３の差込部７のスリット１４への差し込みが困難になる。
【００１７】
また、図６に示すように、ホールダー１１の中央部分とカバー２との間に形成したスリット１４の内部に丸棒状のローラー１８を摺動可能に挿填するが、この丸棒状のローラー１８は、ブレード３の差込部７をホールダー１１のスリット１４に差し込んだ際に、ブレード３の差込部７を丸棒状のローラー１８が随伴して案内するように摺動するとともに、ブレード３の差込部７をカバー２の中央部分１０の裏面に押圧して保持するというローラーロック機構としての機能を発揮するものである。
【００１８】
そして、図７に示すように、ブレード３の差込部７を、カバー２の上部ガイド部１５ｕとホールダー１１の下部ガイド部１５ｄとの間より、ホールダー１１のストッパー線１７の弾力に抗して押し開いて、丸棒状のローラー１８を挿填したスリット１４に差し込んで、ブレード３のホールド線１２をカバー３の折曲線６とホールダーのストッパー線１７に合致させてブレード３を押圧する保持力によって、ブレード３の差込部７をスリット１４内に保持とともに、
前述したローラーロック機構、すなわち、ブレード３の差込部７を丸棒状のローラー１８が随伴して案内するように摺動してブレード３の差込部７をカバー２の中央部分１０の裏面に押圧して保持するという、二つの保持に関する相乗作用によって、ブレード３をスリット１４の内部に安全、確実に保持し、０．３〜１ｋｇの力で引っ張っても、ブレードの差込部は抜け落ちることはなく、ブレードとしての機能を十分発揮できる。
【００１９】
ブレード３の差込部７をスリット１４より抜き取るについては、ブレード３のブレード部８を従来の４倍の２〜５ｋｇの力で引っぱって、ブレード３のホールド線１２をカバー３の折曲線６とホールダーのストッパー線１７の合致状態より解くとともに、丸棒状のローラー１８のローラーロック機構によるロックを解いて、これらの保持力よりブレード３の差込部７を逸脱させて、スリット１４より引き抜けばよい。
【００２０】
テレスコピックカバー１のカバー２の裏面に、ホールダー１１の後方部分１１ｂの表面を固定するが、この固定手段はスポット溶接またはリベットやネジで止め等の公知の手段でよいが、エポシキ系接着剤で接着して、テレスコピックカバーのカバー２に対するホールダーの固定作業を容易にするとともに、テレスコピックカバーのカバー２の平滑性、平面性を維持してもよい。
【００２１】
カバー２は、板厚０．５〜３ｍｍのハイテンション鋼製（または１７％Ｃｒ−２％Ｎｉを主成分として軟質なフェライト相と硬質なマルテンサイト相と微細混合組織を有する高強度複層組織ステンレス鋼製）の金属薄板で形成すると、カバー２を薄く、軽量化して物理的強度を確保できるので最適であるが、通常の鋼板で形成してもかまわない。
【００２２】
ブレード３は、弾力性があって、物理的強度が強く、耐摩耗性に富んだ素材であることが望ましく、前述したバネ用ステンレス鋼、焼き入れリボン鋼以外に炭素量０．０３〜０．１％、クロム量１０〜２０％を含む鉄鋼またはステンレス鋼（以下単に低炭素含有量で高クロム含有量のステンレス鋼、たとえば、日新製鋼（株）の高強度ステンレス鋼として、ＳＵＳ６３１、ＮＳＳＨＴ１７７０、ＮＳＳＨＴ１９６０、ＮＳＳＨＴ２０００を用いると、高強度（引張強さ２０００〜２０００Ｎ／ｍｍ2 ）と硬度（耐摩耗性）の優れた特性を発揮するし、また、巻尺の素材として用いられているコンベック素材も使用でき、ブレード３としての性能が求められていない場合には、普通鋼であってもよく、板厚としては０．０１〜０．３ｍｍ、その幅はカバー２の幅と同じ５〜２００ｃｍで、長さは１．５〜３ｃｍものを使用することが通常である。
【００２３】
ホールダー１１は、弾力性があって、物理的強度が強い素材であることが望ましく、バネ用ステンレス鋼または焼き入れリボン鋼を使用するとよいが、普通鋼であってもよく、ホールダー１１の幅はカバー２の幅と同じ５〜２００ｃｍ、長さが１．５〜３ｃｍであって、厚板部分の板厚は０．２〜１ｍｍ、薄板部分の板厚０．１〜０．５ｍｍ、長さ１．５〜３ｃｍとし、スリットの幅は５〜２００ｃｍ、長さは１．５〜３ｃｍ、スリットのスリット幅は０．０２〜０．４ｍｍにするとよく、また、ホールダー１１の前方部分１１ｆの４．３〜５．８ｍｍを下方に２３〜３５度折り曲げるのは、下部ガイド部１５ｄとして、ブレード３のスリット１４への挿入に最適な状態を確保するためである。
【００２４】
丸棒状のローラー１８は弾力性があって、物理的強度が強い素材であることが望ましく、バネ用ステンレス鋼または焼き入れリボン鋼を使用するとよいが、ピアノ線、普通鋼であってもよく、この丸棒状のローラー１８の断面は円形であって、その直径が０．５〜３ｍｍであって、長さはホールダー１１の幅、カバー２の幅と同じ５〜２００ｃｍのものを１〜３本使用する。
【産業上の利用可能性】
【００２５】
本発明は、工作機械を覆うとともに、工作機械の主軸頭、ベッド、テーブル、コラム、ピストン、シリンダー、ＡＴＣカバー等の移動機構に従って摺動する極薄金属板のブレードを取り付けたテレスコピックカバーとして利用でき、特に昨今の高性能の高速摺動の工作機械に取り付けて、厳しい状態で使用するテレスコピックカバーの極薄金属板のブレードとして最適である。
【図面の簡単な説明】
【００２６】
【図１】極薄金属板のブレードを着脱可能に設けたカバーを摺動可能に積層した従来のテレスコピックカバーの側面説明図である。
【図２】極薄金属板のブレードとホールダーを取り付ける従来のカバーの展開説明図である。
【図３】パーツカバーの裏面にホールダー表面を固定するとともにホールダーに段差を付けてその中央部分を傾斜させた形状にすることによって、カバーとホールダーとの間にスリットを形成した従来のパーツカバーの側面説明図である。
【図４】カバーの裏面にホールダー表面を固定するとともにホールダーに段差を付けてその中央部分を傾斜させた形状にすることによって、カバーとホールダーとの間にスリットの内部にブレードを保持した状態を示す従来のカバーの側面説明図である。
【図５】極薄金属板のブレードとホールダーと丸棒状のローラーとを取り付ける本発明のカバーの展開説明図である。
【図６】カバーの裏面にホールダー表面を固定するとともにホールダーに段差を付けてその中央部分を傾斜させた形状にすることによって、カバーとホールダーとの間にスリットを形成し、そのスリットの内部に丸棒状のローラーを挿填した状態を示す側面説明図である。
【図７】カバーの裏面にホールダー表面を固定するとともにホールダーに段差を付けてその中央部分を傾斜させた形状にすることによって、カバーとホールダーとの間にスリットを形成し、そのスリットの内部に丸棒状のローラーを挿填してブレードを保持した状態を示す従来のカバーの側面説明図である。
【符号の説明】
【００２７】
１    テレスコピックカバー
２    カバー
３    ブレード
４    工作機械の移動機構
５    丸棒状のローラー
６    折込線
７    差込部
８    ブレード部
９    ストッパー
１０  中央部分
１１  ホールダー
１２  ホールド線
１３  段差
１４  スリット
１５  ガイド
１６  パンタグラフ
１７  ストッパー線
【図１】
2013244572.tif 000003
【図２】
2013244572.tif 000004
【図３】
2013244572.tif 000005
【図４】
2013244572.tif 000006
【図５】
2013244572.tif 000007
【図６】
2013244572.tif 000008
【図７】
2013244572.tif 000009